(57)【要約】【課題】  複数箇所に設置された吸殻投入部から投入される吸殻を所定の集積部に集積することができ、しかも、スクレーパー等の消耗部品を採用することなく、定期的な清掃を必要とせずに吸殻を搬送する搬送体に付着した灰を除去することのできる吸殻集積装置を提供する。【解決手段】  一対の巻掛部材に掛け渡された無端環状の搬送体の巻掛部材間で互いに対向する一対の伸長部がレール上に配置された吸殻集積装置において、レールは吸殻搬送用レール部と戻り用レール部とを備え、搬送体はリングチェーンで構成され、少なくとも何れか一方の巻掛部材が移動可能に構成されるとともに付勢され、少なくとも何れか一方の巻掛部材は平面視略正多角形状に形成された巻掛部を備え、巻掛部は縦リングが角部間にある端面に沿うように構成され、横リングを介入させる逃溝が各角部を含んで形成される。【選択図】図１
2008125544.tif 000002
【特許請求の範囲】
【請求項１】
所定間隔をおいて配設された複数の吸殻投入部に沿うように該吸殻投入部の下方に配設されたレールと、該レールの長手方向の両側に配設され、所定の軸線周りで回転可能に設けられた一対の巻掛部材と、何れか一方の巻掛部材を回転駆動させる駆動手段と、一対の巻掛部材に掛け渡され、巻掛部材間で互いに対向する一対の伸長部を形成し、該伸長部がレール上に配置された無端環状の搬送体と、伸長部の移動に伴って搬送されてくる吸殻を集積する集積部とを備えた吸殻集積装置において、前記レールは、一方の伸長部が配置される吸殻搬送用レール部と、該吸殻搬送用レール部に対して並列に設けられ、他方の伸長部が配置される戻り用レール部とを備え、前記搬送体は、複数の横リングと縦リングとが交互に繋がったリングチェーンで構成され、前記一対の巻掛部材は、搬送体にテンションを付与すべく少なくとも何れか一方が移動可能に構成されるとともに付勢され、しかも、少なくとも何れか一方が平面視略正多角形状に形成されて重心位置を通る軸心周りで回転するように構成された巻掛部を備え、該巻掛部は、前記軸心と直交又は略直交する仮想面に沿った横リングを介入させる逃溝が外周の少なくとも各角部を含んで形成され、角部の逃溝に介入した横リングと隣り合う縦リングが角部間にある平面状の端面に沿うように構成されていることを特徴とする吸殻集積装置。
【請求項２】
前記巻掛部は、平面視略正三角形状に形成され、角部間の端面が一つの縦リングを配置できるサイズに設定されている請求項１記載の吸殻集積装置。
【請求項３】
前記レールは、吸殻搬送用レール部及び戻り用レール部のそれぞれが、該レールの伸長方向に延びる稜線を下方側に形成して上方に向けて拡開する一対の帯状部を有し、前記横リングが両帯状部に接触移動する一方で縦リングが稜線上を移動するように構成されている請求項１又は２記載の吸殻集積装置。
【発明の詳細な説明】
【技術分野】
【０００１】
本発明は、複数箇所に設けられた吸殻投入部から投入された煙草の吸殻を所定箇所に集積する吸殻集積装置に関し、特には、パチンコ、スロットマシン、ゲーム機等の遊技機が横並びに複数台設けられた遊技島に対し、各遊技機の配置に対応して配置される複数の吸殻投入部からの煙草の吸殻を所定箇所に集積するための吸殻集積装置に関する。
【背景技術】
【０００２】
近年、複数台の遊技機が横並びに並設されるパチンコ店やゲームセンター等において、各遊技機の配置に対応して設けられる複数の吸殻投入部からの煙草の吸殻を所定箇所に集積するための吸殻集積装置が設置される場合がある。
【０００３】
かかる吸殻集積装置として、複数の吸殻投入部（複数の遊技機）の配置に沿うにように該吸殻投入部の下方に配設されたレールの長手方向の両側に一対の巻掛部材（プーリーやスプロケット）が配設され、該一対の巻掛部材に無端環状の搬送体（平ベルトやラダーチェーン）が掛け渡され、該搬送体における巻掛部材間で対向する一対の伸長部の一方をレール上で摺接可能に配置されたものがある。すなわち、無端環状にされた搬送体がレールの両端に配置された巻掛部材に巻き掛けられることにより、環状の搬送体が、レール上で略真っ直ぐに伸びる一対の伸長部を形成するとともに、一方の伸長部から他方の伸長部に向けて略Ｕ字状（円弧状）にターンするターン部をレールの両側に形成した吸殻集積装置がある。
【０００４】
かかる吸殻集積装置は、一方の巻掛部材を駆動することで、複数の吸殻投入部から投入された吸殻をレール上で移動する搬送体（一方の伸長部）で搬送してレールの何れか一端側で集積するように構成されており、吸殻を集める作業が簡便であるとして普及しつつある（例えば、特許文献１参照）。
【特許文献１】特開平０９−２８５６２９号公報
【発明の開示】
【発明が解決しようとする課題】
【０００５】
ところで、上記吸殻集積装置は、吸殻投入部と搬送体の必然的な配置から、吸殻投入部から投入される灰や搬送途中の吸殻の灰が搬送体に付着乃至堆積してしまい、定期的に灰を除去しなければ衛生的な状態で維持することができないといった問題がある。すなわち、従来の吸殻集積装置は、搬送体に付着した灰を作業者が定期的に除去しなければ、その灰からの悪臭が吸殻投入部を介して外部に放出され、遊技者等に不快感を与えるといった問題があった。
【０００６】
そのため、搬送体から灰を掻き落とすためのスクレーパーやブラシを設けることも考えられるが、このようにスクレーパー等を設けると、スクレーパー等の清掃が必要となる上に、回転移動する搬送体との接触でスクレーパーやブラシのみならず搬送体までもが摩耗してしまうため、搬送体やスクレーパー等を消耗品として交換しなければならないといった問題がある。
【０００７】
そこで、本発明は、複数箇所に設置された吸殻投入部から投入される吸殻を所定の集積部に集積することができ、しかも、スクレーパー等の消耗部品を採用することなく、定期的な清掃を必要とせずに吸殻を搬送する搬送体に付着した灰を除去することのできる吸殻集積装置を提供することを課題とする。
【課題を解決するための手段】
【０００８】
本発明に係る吸殻集積装置は、所定間隔をおいて配設された複数の吸殻投入部に沿うように該吸殻投入部の下方に配設されたレールと、該レールの長手方向の両側に配設され、所定の軸線周りで回転可能に設けられた一対の巻掛部材と、何れか一方の巻掛部材を回転駆動させる駆動手段と、一対の巻掛部材に掛け渡され、巻掛部材間で互いに対向する一対の伸長部を形成し、該伸長部がレール上に配置された無端環状の搬送体と、伸長部の移動に伴って搬送されてくる吸殻を集積する集積部とを備えた吸殻集積装置において、前記レールは、一方の伸長部が配置される吸殻搬送用レール部と、該吸殻搬送用レール部に対して並列に設けられ、他方の伸長部が配置される戻り用レール部とを備え、前記搬送体は、複数の横リングと縦リングとが交互に繋がったリングチェーンで構成され、前記一対の巻掛部材は、搬送体にテンションを付与すべく少なくとも何れか一方が移動可能に構成されるとともに付勢され、しかも、少なくとも何れか一方が平面視略正多角形状に形成されて重心位置を通る軸心周りで回転するように構成された巻掛部を備え、該巻掛部は、前記軸心と直交又は略直交する仮想面に沿った横リングを介入させる逃溝が外周の少なくとも各角部を含んで形成され、角部の逃溝に介入した横リングと隣り合う縦リングが角部間にある平面状の端面に沿うように構成されていることを特徴とする。
【０００９】
上記吸殻集積装置によれば、吸殻投入部の下方に配設されたレールが、一方の伸長部が配置される吸殻搬送用レール部と、吸殻搬送用レール部に対して並列に設けられ、他方の伸長部が配置される戻り用レール部とを備え、搬送体が、複数の横リングと縦リングとが交互に繋がったリングチェーンで構成されるため、巻掛部材を駆動の駆動に伴って搬送体が周方向に回転すると、一対の伸長部がレールの吸殻搬送用レール部と戻り用レール部との上で反対方向に移動することになる。これにより、吸殻投入部から投入された吸殻（灰も含む）は、一方の伸長部（横リング又は縦リング）に引っ掛かった状態で一方の伸長部の移動方向に搬送され、最終的に集積部にまで搬送されることになる。
【００１０】
そして、搬送体にテンションを付与すべく少なくとも何れか一方が移動可能に構成されるとともに付勢され、しかも、少なくとも何れか一方が平面視略正多角形状に形成されて重心位置を通る軸心周りで回転するように構成された巻掛部を備え、該巻掛部は、前記軸心と直交又は略直交する仮想面に沿った横リングを介入させる逃溝が外周の少なくとも各角部を含んで形成され、角部の逃溝に介入した横リングと隣り合う縦リングが角部間にある平面状の端面に沿うように構成されているので、搬送体に対するテンションにより、巻掛部材（巻掛部）を軸心周りで回転させた際に、搬送体（リングチェーン）は、角部に設けられた逃溝に介入した横リングと隣り合う縦リングが巻掛部の角部間における端面に沿う状態と、該縦リングと隣り合う横リングが巻掛部の回転方向の上流側にある角部の逃溝に介入する状態とに順々に切り替わり、搬送体が周方向に回転することになる。
【００１１】
そして、縦リングが巻掛部の端面に沿う際或いは横リングが逃溝に介入する際、縦リングと横リングとの相対的な位置変化により、縦リングと横リングとの接触部分が擦り合わされる結果、その接触部分に付着した灰等が擦り落とされることになる。また、縦リングが巻掛部の端面に沿う際（姿勢を変更する際）に、縦リングと横リングとの相対的な位置変化が大きいため、リングチェーン（伸長部）に対して一時的（瞬間的）な引っ張り作用と緩み作用とが生じ、縦リング及び横リングに付着した灰が振るい落とされることになる。このような現象は、リングチェーンが回転する巻掛部材（巻掛部）に巻き掛けられることで生じるため、巻掛部材を駆動してリングチェーンを回転させれば引っ張り作用と緩み作用とが断続的に繰り返し生じることになり、リングチェーンの全長に亘って付着した灰を振るい落とすことができる。
【００１２】
これにより、スクレーパー等の消耗品を採用しなくても、定期的な清掃を必要とせずに吸殻を搬送する搬送体に付着した灰を除去することができ、装置及びその周辺を衛生的な状況に維持することができる。
【００１３】
本発明の吸殻集積装置の一態様として、前記巻掛部は、平面視略正三角形状に形成され、角部間の端面が一つの縦リングを配置できるサイズに設定されていることが好ましい。このようにすれば、搬送体としてのリングチェーンが巻掛部材に対して巻き掛けられるリング（横リング及び縦リング）の数を最小にすることができ、その結果、巻掛部材の回転半径を必要最小限の大きさにすることができる。しかも、逃溝に介入した横リングに対して両側で隣り合う二つの縦リングが巻掛部の端面に沿うことで、該二つの縦リング同士の角度が６０°と小さくなるので、リングの巻き掛け数が少なくても回転トルクを十分に伝達することができる。また、巻掛部を平面視略正三角形状にすれば、角部の角度が小さく、横リングと縦リングとの相対的な位置変化が大きくなるため、上述のような灰に対する振るい落とし効果がより顕著になる。
【００１４】
本発明の吸殻集積装置の他態様として、前記レールは、吸殻搬送用レール部及び戻り用レール部のそれぞれが、該レールの伸長方向に延びる稜線を下方側に形成して上方に向けて拡開する一対の帯状部を有し、前記横リングが両帯状部に接触移動する一方で縦リングが稜線上を移動するように構成されてもよい。
【００１５】
このようにすれば、伸長部の長手方向と直交する方向の横リングの両端が一対の帯状部に対して摺動し、該横リングと隣り合う縦リングが、稜線上を摺動することになる。すなわち、レールの伸長方向から見て横リングと縦リングとが十字に交差した態様をなしつつレールに対して摺動することになる。これにより、吸殻が横リング又は縦リングに引っ掛かり易く、吸殻の搬送が確実なものとなる。そして、吸殻投入部から投入された灰や搬送中の吸殻からの灰は、非常に小さな粉体であるため、横リング又は縦リング上に載らなければ下方側にある稜線上に集まることになるが、上述の如く、縦リングが稜線上を摺動するため、稜線上に集まった灰を縦リングで搬送することができ、レール上の灰の堆積を確実に防止することができる。
【発明の効果】
【００１６】
以上のように、本発明に係る吸殻集積装置によれば、複数箇所に設置された吸殻投入部から投入される吸殻を所定の集積部に集積することができ、しかも、スクレーパー等の消耗部品を採用することなく、定期的な清掃を必要とせずに吸殻を搬送する搬送体に付着した灰を除去することができるという優れた効果を奏し得る。
【発明を実施するための最良の形態】
【００１７】
以下、本発明の一実施形態に係る吸殻集積装置について、添付図面を参照しつつ説明する。
【００１８】
本実施形態に係る吸殻集積装置は、図１及び図２（ａ）に示す如く、パチンコ機やスロットマシン、ゲーム機等の遊技機Ｇが設置される遊技場（例えば、パチンコ店やゲームセンター等）で、複数の遊技機Ｇ…が横並びに設置される島（いわゆる遊技島）Ｇａと一体的に設置されるものである。
【００１９】
該吸殻集積装置１は、図１、図２（ａ）及び図２（ｂ）に示す如く、遊技島Ｇａに設置された遊技機Ｇ…の下方から前方に延出するように設けられ、各遊技機Ｇの配置に対応するように所定間隔をおいて複数の吸殻投入部１００…が配設された天板１０と、複数の吸殻投入部１００…に沿うように該吸殻投入部１００…の下方に配設されたレール２０と、該レール２０の長手方向の両側に配設された一対の巻掛部材３０，４０と、一方の巻掛部材３０を回転駆動させる駆動手段５０と、一対の巻掛部材３０，４０に掛け渡され、巻掛部材３０，４０間で互いに対向する一対の伸長部６０ａ，６０ｂを形成し、該伸長部６０ａ，６０ｂがレール２０上に配置された無端環状の搬送体６０と、伸長部６０ａ，６０ｂの移動に伴って搬送されてくる吸殻（図示しない）を集積する集積部７０ａ，７０ｂとを備えている。
【００２０】
前記天板１０は、少なくとも上面が耐火性のあるプレートで構成されており、例えば、木材プレート、金属プレート（好ましくは、アルミプレート）、樹脂プレート、或いは、これらの少なくとも二つが積層された複合プレート等で構成される。なお、天板１０が木材や樹脂で構成される場合、煙草の種火等の熱を考慮して少なくとも上面及び下面に耐熱処理を施すことが好ましい。
【００２１】
そして、図３に示す如く、前記天板１０には、各遊技機Ｇ…の配置に対応して上下方向に貫通した開口部（採番しない）が設けられており、各開口部に口金部材１０１が取り付けられることで各吸殻投入部１００…が形成されている。口金部材１０１は、天板１０の開口部に嵌入され、レール２０（後述する吸殻搬送用レール部２００）に吸殻を導く案内筒１０２と、該案内筒１０２の上端から径方向外方に延出した鍔部１０３と、案内筒１０２の上端開口を横切るように設けられた複数の消火バー１０４…とを備えている。かかる吸殻投入部１００…は、前記鍔部１０３の上面に形成された凹部（図示しない）に煙草を載置することができ、消火バー１０４…間から吸殻を投入できるようになっている。
【００２２】
図２（ａ）及び図２（ｂ）に戻り、本実施形態に係る吸殻集積装置１は、前記天板１０の前端側、両側端側、及び後端側のそれぞれの下面に壁板１１，１２，１３，１４が連設されて外観箱状を呈している。なお、本実施形態に係る吸殻集積装置１は、一方の巻掛部材（以下、第一巻掛部材という）３０の配置される領域Ａと、他方の巻掛部材（以下、第二巻掛部材という）４０の配置される領域Ｂと、レール２０の配置される領域Ｃとが、天板１０の前後に配置された壁板１１，１２間に介設された仕切壁１５，１６によって仕切られている。
【００２３】
前記レール２０は、図３に示す如く、各吸殻投入部１００…と対向し、吸殻投入部１００…からの灰や吸殻を受け止める吸殻搬送用レール部２００と、該吸殻搬送用レール部２００に対して横並びに設けられた戻り用レール部２１０とを備えている。
【００２４】
前記吸殻搬送用レール部２００は、吸殻投入部１００…（遊技機Ｇ…）の配列方向に伸長し、搬送体６０の一方の伸長部６０ａを支持するレール本体（以下、吸殻搬送用レール本体という）２０１と、該吸殻搬送用レール本体２０１を天板１０に固定するための固定部（以下、第一固定部という）２０２とを備えている。
【００２５】
前記吸殻搬送用レール本体２０１は、該吸殻搬送用レール本体２０１（レール２０）の伸長方向に延びる稜線Ｌ１を下方側に形成して上方に向けて拡開する一対の帯状部（以下、第一帯状部という）２０３ａ，２０３ｂを有している。すなわち、吸殻搬送用レール本体２０１は、稜線Ｌ１を介して接続されるとともに上方に向けて互いの間隔が広がった一対の第一帯状部２０３ａ，２０３ｂによって縦断面が略Ｖ字状を呈している。なお、本実施形態に係る一対の第一帯状部２０３ａ，２０３ｂは、概ね９０°の角度をなして上方側ほど拡開するように形成されている。
【００２６】
前記第一固定部２０２は、一方の第一帯状部（前面側の第一帯状部）２０３ａの上方側に位置する端縁から略真っ直ぐ上方に向けて延びる起立部（以下、第一起立部という）２０４と、第一起立部２０４の上端に略直角をなすように延設された固定片（以下、第一固定片という）２０５とを備えており、該第一固定片２０５がネジ部材等の固定手段（図示しない）を介して天板１０の下面に固定されている。
【００２７】
戻り用レール部２１０は、吸殻搬送用レール本体２０１に対して略平行をなし、搬送体６０の他方の伸長部６０ｂを支持するレール本体（以下、戻り用レール本体という）２１１を備えている。
【００２８】
前記戻り用レール本体２１１は、吸殻搬送用レール本体２０１と同様に、該戻り用レール本体２１１（レール２０）の伸長方向に延びる稜線Ｌ２を下方側に形成して上方に向けて拡開する一対の帯状部（以下、第二帯状部という）２１２ａ，２１２ｂを有している。すなわち、戻り用レール本体２１１は、稜線Ｌ２を介して接続されるとともに上方に向けて互いの間隔が広がった一対の第二帯状部２１２ａ，２１２ｂによって縦断面が略Ｖ字状を呈している。なお、本実施形態に係る一対の第二帯状部２１２ａ，２１２ｂは、第一帯状部２０３ａ，２０３ｂと同様に、概ね９０°の角度をなして上方側ほど拡開するように形成されている。
【００２９】
そして、該戻り用レール部２１０は、一方の第二帯状部２１２ａの上方側の端縁に略真っ直ぐ上方に向けて延びる起立部（以下、第二起立部という）２１３が連設され、他方の第二帯状部２１２ｂの上方側の端縁にも上方に向けて延びる起立部（以下、第三起立部という）２１４が連設されている。そして、第二起立部２１３の上端には、後述する固定部材２２０に掛止させる掛止片２１５が設けられている。該掛止片２１５は、第二起立部２１３に対して直交方向（横方向）に延出し、その先端部にはレール２０の伸張方向に延びて下方に突出した抜止用凸条２１５ａが設けられている。そして、第三起立部２１４は、第二起立部２１３よりも低く形成されており、その上端には、第二起立部２１３の上端側に向けて上り傾斜した傾斜片部２１６が延設されている。
【００３０】
そして、本実施形態に係るレール２０は、吸殻搬送用レール部２００と戻り用レール部２１０とが平行（横並び）に配設され、吸殻搬送用レール部２００の他方の第一帯状部２０３ｂの上方側の端部と他方の第二帯状部２１２ｂの上方側の端部とが接続されている。これにより、吸殻搬送用レール部２００及び戻り用レール部２１０は、全体としての縦断面形状がＷ字状を呈し、前記第三起立部２１４は、吸殻搬送用レール部２００と戻り用レール部２１０とを区画するための区画壁としても機能している。
【００３１】
前記固定部材２２０は、遊技機Ｇの配列方向に延び、天板１０の下面にネジ部材等の固定手段（図示しない）を介して固定される帯板状の固定片（以下、第二固定片という）２２１と、該第二固定片２２１の短手方向の一端から斜め下方に延びる案内片２２２と、第二固定片２２１と案内片２２２とに跨った接続部２２３と、該接続部２２３に連設され、前記戻り用レール部２１０の掛止片２１５が掛止される被掛止部２２４とを備えている。前記案内片２２２は、下端部が傾斜片部２１６に上方側から重なるように形成されており、該下端部の下方側になる面には傾斜片部２１６の端面に当接する凸条２１７がレール２０の伸長方向に延びるように形成されている。このように案内片２２２が傾斜片部２１６に対して連続することで、案内片２２２上に吸殻等が投入されたときに、該吸殻が吸殻搬送用レール部２００上に導かれるようになっている。
【００３２】
前記接続部２２３は、第二固定片２２１の下面に垂設された垂設部２２３ａと、案内片２２２の下方側の面から垂設部２２３ａに向けて延出し、該垂設部２２３ａの下端部に接続された延出部２２３ｂと、延出部２２３ｂの下面に垂設された支持片２２３ｃとで構成されている。そして、前記被掛止部２２４は前記支持片２２３ｃの下端部から第二起立部２１３に向けて延出した被掛止片２２４ａと、該被掛止片２２４ａの先端部から上方に突出し、レール２０の伸長方向の延びる抜止用凸条２２４ｂとを備えており、第二起立部２１３の上端に延設された掛止片２１５を被掛止片２２４ａに掛けることで、戻り用レール部２１０を支持できるようになっている。なお、掛止片２１５を被掛止片２２４ａに掛けることで、互いの抜止用凸条２１５ａ，２２４ｂが係合する結果、被掛止部２２４に対する掛止片２１５の掛止状態が維持され、戻り用レール部２１０（レール２０）を吊り下げ状態で支持できるようになっている。
【００３３】
該レール２０は、押出成型等によって成型されたもので、吸殻搬送用レール部２００や戻り用レール部２１０等が一体的になっており、本実施形態においては、全体の剛性を高めるべく、吸殻搬送用レール部２００と戻り用レール部２１０との稜線Ｌ１，Ｌ２部分が帯状の接続部２４０によって接続されている。
【００３４】
前記搬送体６０には、複数のリング（扁平環状を呈するリング）６１ａ，６１ｂ…が連結されたリングチェーンが採用されている。なお、リングチェーン６０は、同一の形態のリング６１ａ，６１ｂ…を複数繋ぐことで、該リングチェーン６０の伸長方向から見て隣り合うリング６１ａ，６１ｂ同士が十文字に交差した態様になり、図２（ａ）及び図２（ｂ）に示す如く、平面視において横向きに寝て環状に見えるリング６１ａと、縦向きになって線状に見えるリング６１ｂとが交互に配置される態様となる。このことから、各リング６１ａ，６１ｂ…と他の構成との関係等を明確にするために、平面視で環状に見えるリング６１ａを横リングといい、平面視で線状に見えるリング６１ｂを縦リングということとする。
【００３５】
上述の如く、搬送体６０は、複数の横リング６１ａ…と縦リング６１ｂ…とが交互に繋がったリングチェーンで構成されており、端部のリング６１ａ，６１ｂ（横リング６１ａ…と縦リング６１ｂ…）同士が連結されて無端環状になっている。そして、無端環状をなすリングチェーン６０は、第一巻掛部材３０と第二巻掛部材４０とに掛け渡されることで、レール２０（吸殻搬送用レール部２００及び戻り用レール部２１０）の長手方向の両側でターンし、第一巻掛部材３０と第二巻掛部材４０との間で互いに対向する一対の伸長部６０ａ，６０ｂを形成している。そして、該リングチェーン６０は、一方の伸長部６０ａが吸殻搬送用レール部２００上に配設され、他方の伸長部６０ｂが戻り用レール部２１０上に配設されている。すなわち、リングチェーン６０は、レール２０の両端に配置された第一巻掛部材３０と第二巻掛部材４０とに巻き掛けられることにより、レール２０上で略真っ直ぐに伸びる一対の伸長部６０ａ，６０ｂ（吸殻搬送用レール部２００上に配設される伸長部６０ａと戻り用レール部２１０上に配設される伸長部６０ｂと）を形成するとともに、一方の伸長部６０ａから他方の伸長部６０ｂに向けてターンするターン部６０ｃ，６０ｄをレール２０の両側に形成している。
【００３６】
そして、上述の如く、吸殻搬送用レール部２００及び戻り用レール部２１０の縦断面形状がＶ字状に形成されるとともに、搬送体６０にリングチェーン６０が採用されているため、図３に示す如く、伸長部６０ａ，６０ｂの長手方向（伸長方向）と直交する方向における横リング６１ａ…の両端が一対の帯状部２０３ａ，２０３ｂ、２１２ａ，２１２ｂ（第一帯状部２０３ａ，２０３ｂ、第二帯状部２１２ａ，２１２ｂ）に対して摺動し、該横リング６１ａ…と隣り合う縦リング６１ｂ…が、吸殻搬送用レール部２００及び戻り用レール部２１０の稜線Ｌ１，Ｌ２上を摺動するようになっている。すなわち、縦リング６１ｂ…が帯状部２０３ａ，２０３ｂ、２１２ａ，２１２ｂ同士の接続された稜線Ｌ１，Ｌ２を通る第一仮想面（図示しない）上に軸中心を位置させ、横リング６１ａ…が第一仮想面と直交する第二仮想面（図示しない）上に軸中心を位置させた態様をなし、縦リング６１ｂ…が吸殻搬送用レール部２００及び戻り用レール部２１０の稜線Ｌ１，Ｌ２上又は稜線Ｌ１，Ｌ２近傍で支持される一方で、横リング６１ａ…が一対の帯状部２０３ａ，２０３ｂ、２１２ａ，２１２ｂに両側が支持されるように構成されている。
【００３７】
前記第一巻掛部材３０は、図４（ａ）〜図４（ｃ）に示す如く、上下方向（略垂直方向）に延びる軸線周りで回転可能に構成されている。
【００３８】
ここで第一巻掛部材３０について具体的に説明すると、該第一巻掛部材３０は、平面視略正多角形状に形成されて重心位置を通る軸心周りで回転するように構成された巻掛部（以下、第一巻掛部という）３００を備えている。該第一巻掛部３００は、前記軸心と直交又は略直交する仮想面（図示しない）に沿った横リング６１ａ…を介入させる逃溝３０３が外周の少なくとも各角部３０１ａ，３０１ｂ，３０１ｂを含んで形成され、角部３０１ａ，３０１ｂ，３０１ｂの逃溝３０３に介入した横リング６１ａと隣り合う縦リング６１ｂ…が角部３０１ａ，３０１ｂ，３０１ｂ間にある平面状の端面３０２ａ，３０２ｂ，３０２ｃに沿うように構成されている。本実施形態に係る第一巻掛部材３０は、前記逃溝３０３が各角部３０１ａ，３０１ｂ，３０１ｂを含むように第一巻掛部３００の全周に亘って形成されている。本実施形態において、前記第一巻掛部３００は、平面視略正三角形状に形成されており、逃溝３０３に介入した横リング６１ａを介して隣り合う二つの縦リング６１ｂ，６１ｂを略６０度の角度配置にして回転トルクが確実に伝達されるようになっている。
【００３９】
そして、本実施形態に係る第一巻掛部３００は、角部３０１ａ，３０１ｂ，３０１ｂ間の端面３０２ａ，３０２ｂ，３０２ｃが一つの縦リング６１ｂ…を配置できるサイズに設定されており、何れか一つの横リング６１ａ…が何れかの角部３０１ａ，３０１ｂ，３０１ｂにある逃溝３０３に介入した（入り込んだ）状態で、該横リング６１ａ…の両側にある縦リング６１ｂ…が角部３０１ａ，３０１ｂ，３０１ｂ間の端面３０２ａ，３０２ｂ，３０２ｃ（外周端面３０２ａ，３０２ｂ，３０２ｃ）に沿い、該縦リング６１ｂ…と隣り合う別の横リング６１ａ…が、残りの角部３０１ａ，３０１ｂ，３０１ｂ間に入り込むように構成されている。これにより、第一巻掛部材３０に対するリングチェーン６０の巻き掛けリング数を最小にすることができ、上述の如くリングチェーン６０に対して回転トルクを伝達可能としつつリングチェーン６０（ターン部６０ｃ）の回転半径をリング６１ａ，６１ｂのサイズに対応した最小なものにできるようになっている。
【００４０】
本実施形態に係る第一巻掛部３００は、図５（ａ）〜図５（ｃ）に示す如く、平面視略正多角形状（本実施形態においては平面視略正三角形）をなす二枚の側板部３１０ａ，３１０ｂが、互いの角部３０１ａ’，３０１ａ’，３０１ｂ’，３０１ｂ’，３０１ｃ’，３０１ｃ’同士を対向させるようにして所定の間隔をおいて配設され、該側板部３１０ａ，３１０ｂ間に逃溝３０３が形成されている。すなわち、第一巻掛部３００は、二枚の側板部３１０ａ，３１０ｂを対向配置させることで、前記逃溝３０３が全周に亘って形成されている。該二つの側板部３１０ａ，３１０ｂは、互いに対向する角部３０１ａ’，３０１ａ’，３０１ｂ’，３０１ｂ’，３０１ｃ’，３０１ｃ’の対向面が頂点（角）側ほど互いに離間した傾斜面になっており、第一巻掛部材３０を回転させたときに、横リング６１ａ…が第一巻掛部３００の角部３０１ａ，３０１ｂ，３０１ｂの逃溝３０３（側板部３１０ａ，３１０ｂの角部３０１ａ’，３０１ａ’，３０１ｂ’，３０１ｂ’，３０１ｃ’，３０１ｃ’間）に円滑に入り込むようになっている。
【００４１】
本実施形態に係る第一巻掛部材３０（第一巻掛部３００）は、駆動手段５０の後述する軸体５１２を挿通できるように、二枚の側板部３１０ａ，３１０ｂに挿通穴３０４が穿設されるとともに、該二枚の側板部３１０ａ，３１０ｂが挿通穴３０４と略同心をなす筒状軸３０５によって連結されている。該挿通穴３０４及び筒状軸３０５の穴芯は、各側板部３１０ａ，３１０ｂの略重心位置（平面における図心）を通っており、該穴芯を中心にして各角部３０１ａ，３０１ｂ，３０１ｂの回転半径が一定になるように設定されている。そして、軸体５１２と第一巻取部３００との間にキーを介装すべく、前記挿通穴３０４及び筒状軸３０５の内周面には、軸心方向に延びるキー溝（採番しない）が形成されている。これにより、キーを介して第一巻掛部３００に駆動手段５０の軸体５１２の回転トルクが伝達されるようになっている。
【００４２】
そして、該第一巻掛部材３０は、前記挿通穴３０４及び筒状軸３０５の穴心を中心にして所定半径（各角部３０１ａ，３０１ｂ，３０１ｂの回転半径以上の半径）に設定された円板状のガイド部３０６ａ，３０６ｂが第一巻掛部３００を挟み込むようにして各側板部３１０ａ，３１０ｂの外面に連設されている。これにより、ガイド部３０６ａ，３０６ｂは、各側板部３１０ａ，３１０ｂの外周から径方向外方に延出して鍔状を呈している。なお、本実施形態において、側板部３１０ａ，３１０ｂとガイド部３０６ａ，３０６ｂとは一体的に形成されているため、ガイド部３０６ａ，３０６ｂと第一巻掛部３００（側板部３１０ａ，３１０ｂ）とは一体不可分に構成されている。これにより、第一巻掛部３００の外周における各端面３０２ａ，３０２ｂ，３０２ｃに沿う縦リング６１ｂ…がガイド部３０６ａ，３０６ｂ間に入り込んで回転軸方向に位置ズレするのを防止できるようになっている。
【００４３】
他方、第二巻掛部材４０は、図６（ａ）及び図６（ｂ）に示す如く、外観ローラ状に形成されており、平面視略円形の巻掛部（以下、第二巻掛部という）４００と、該第二巻掛部４００の幅方向の両端全周に亘って外方に延出した一対の鍔部４０１，４０１とを備えている。該第二巻掛部材４０は、第二巻掛部４００の幅方向の略中央部に全周に亘って横リング６１ａ…の嵌り込む溝４０２が形成されており、横リング６１ａ…と隣り合う縦リング６１ｂ…が鍔部４０１，４０１間に位置しつつ第二巻掛部４００の外周に沿った状態で、リングチェーン６０が巻き掛けられるようになっている。そして、該第二巻取部材４０は、支持軸４０３が挿通されており、該支持軸４０３周りで回転可能に構成されている。本実施形態においては、第二巻取部４００と支持軸４０３との間にベアリング（採番しない）が介装されており、第二巻取部材４０が回転自在になっている。
【００４４】
本実施形態において、上記構成の第二巻掛部材４０は、図７（ａ）及び図７（ｂ）に示す如く、吸殻搬送用レール部２００及び戻り用レール部２１０よりも下方に位置するように配設されており、回転軸線（支持軸４０３）がレール２０の伸長方向に延びる（吸殻搬送用レール部２００及び戻り用レール部２１０と略平行をなす）ように設定されている。さらに、第二巻掛部材４０は、上下方向に移動可能に構成されるとともに、付勢手段４１０によって移動方向に（下方に向けて）付勢されている。
【００４５】
具体的には、該第二巻掛部材４０は、支持軸４０３の両端部が上下方向に延びる棒状のガイド部材４１１に沿って移動可能に構成されており、ガイド部材４１１に沿って配設された付勢手段（図においてはコイルバネ）４１０によって該支持軸４０３の両端部が下方に向けて付勢されている。なお、本実施形態においては、第二巻掛部材４０を挟んで前後の壁板１１，１２に跨るように一対の支持プレート４１２，４１２が配設されている。この一対の支持プレート４１２，４１２には、第二巻掛部材４０の支持軸４０３が挿通される長穴４１３が上下方向に延びるように形成され、ガイド部材４１１を固定するフランジ４１３が取り付けられている。これにより、第二巻掛部材４０は支持軸４０３の上下方向の移動が許容されつつも、該支持軸４０３の端部がガイド部材４１１によって上下方向に案内されるようになっている。
【００４６】
本実施形態に係る吸殻集積装置１は、上述のように第二巻掛部材４０を移動可能に構成するとともに該第二巻掛部材４０に対して付勢手段４１０で付勢力を作用させることで、第一巻掛部材３０と第二巻掛部材４０に掛け渡されたリングチェーン６０（主として伸長部６０ａ，６０ｂ）にテンションを与えるようになっている。
【００４７】
本実施形態においては、前記第二巻掛部材４０が上述の配置とされるため、戻り用レール部２１０からのリングチェーン６０の移動方向を下方側に変換させるターンローラ（以下、第一ターンローラという）４２０ａと、第二巻掛部材４０から上方に向けて延びるリングチェーン６０の移動方向を吸殻搬送用レール部２００に向けて変換させるターンローラ（以下、第二ターンローラ）４２０ｂとが設けられている。第一ターンローラ４２０ａは戻り用レール部２１０に対応して配置され、第二ターンローラ４２０ｂは、吸殻搬送用レール部２００に対応して配置されており、これらは、レール２０の伸長方向と直交する方向の延びる軸線周りで回転自在に構成されている。なお、本実施形態に第一及び第二ターンローラ４２０ａ，４２０ｂは、それぞれ同一の形態に構成され、略同心の軸線周りで回転するように配置されている。
【００４８】
かかる第一ターンローラ４２０ａ及び第二ターンローラ４２０ｂは、図８に示す如く、第二巻掛部材４０を小径にしたもので、全周に亘って溝４２１ａ，４２１ｂが形成されているが、回転軸線がレール２０の伸長方向に対して直交方向に延びる軸線周り、すなわち、第二巻掛部材４０の支持軸４０３の軸線に対して直交方向に延びる軸線周りで回転できるように配置されているため、全周に亘って形成された溝４２１ａ，４２１ｂには縦リング６１ｂ…が嵌り込み、該縦リング６１ｂ…と隣り合う横リング６１ａ…が各ターンローラ４２０ａ，４２０ｂの外周に沿った状態で、リングチェーン６０が巻き掛けられるようになっている。
【００４９】
図４（ｂ）に戻り、前記駆動手段５０は、駆動源５００と、該駆動源５００の駆動を第一巻掛部材３０に伝達する駆動伝達手段５１０とを備えている。
【００５０】
本実施形態に係る駆動源５００には、減速機付き電動モータが採用されており、出力軸５０１の軸心が略垂直になるように、取付ブラケット５５０を介して天板１０の後端側にある壁板１２に固定されている。前記駆動伝達手段５１０は、駆動源５００の出力軸５０１に取り付けられた第一スプロケット５１１と、第一巻掛部材３０の挿通穴３０４に回転トルクを伝達可能に挿通された軸体５１２と、該軸体５１２に取り付けられた第二スプロケット５１３と、第一及び第二スプロケット５１１，５１３に掛け渡されたチェーン（ローラチェーン）５１４とで構成されている。
【００５１】
前記軸体５１２は、軸線が略垂直方向に延びるように、前記壁板１２に固定された軸受手段５５１に回転自在に軸支され、軸受手段５５１から上方に延出する上端側が第一巻掛部材３０（挿通穴３０４）に挿通できるように構成され、軸受手段５５１から下方に延出する下端側に第二スプロケット５１３が取り付けられている。そして、本実施形態に係る軸体５１２は、上端部に第一巻掛部材３０のキー溝と対応するキー溝（図示しない）が軸線方向に延びるように形成されており、両者のキー溝にキーが介装されることで第一巻掛部材３０に回転トルクを伝達できるようになっている。
【００５２】
図１及び図２（ａ）に戻り、前記集積部７０ａ，７０ｂは、前記第一巻掛部材３０の配置される領域Ａと、第二巻掛部材４０の配置される領域Ｂとに設けられている。第一巻掛部材３０の配置される領域Ａの集積部（以下、第一集積部という）７０ａは、レール２０からの落下物（本実施形態においては吸殻搬送用レール部２００からの吸殻や灰）を集積するようになっており、第一巻掛部材３０の下方に配置される集積ボックス（以下、第一集積ボックスという）７１ａを備えている。かかる第一集積ボックス７１ａは、上部が開放した箱体で、開放部分が第一巻掛部材３０と吸殻搬送用レール部２００の一端部に対向するように配置され、リングチェーン６０の移動に伴って搬送されて吸殻搬送用レール部２００（レール２０）の長手方向の一端から落下する吸殻及び灰を受け止めて集積できるようになっている。そして、該第一集積ボックス７１ａは、天板１０の前端側にある壁板１１に設けられた扉１１ａを開くことで、外部に取り出せるようになっている。なお、第一集積部７０ａには、吸殻搬送用レール部２００から落下する吸殻や灰が第一集積ボックス内に導かれるように、レール２０の下方から所定位置に配置された第一集積ボックスの上方に向けて傾斜した案内板７２が設けられている。
【００５３】
他方、第二巻掛部材４０の配置される領域Ｂの集積部（以下、第二集積部という）７０ｂは、第二巻掛部材４０の上下方向の移動に伴ってリングチェーン６０に対して付与される振動によって落下する該リングチェーン６０に付着した灰や、レール２０からの落下物（本実施形態においては戻り用レール部２１０からの灰）を集積するようになっており、第二巻掛部材４０の下方に設けられた集積ボックス（以下、第二集積ボックスという）７１ｂを備えている。かかる第二集積ボックス７１ｂは、前記第一集積ボックス７１ａと同様に上部が開放した箱体で、開放部分が第二巻掛部材４００と戻り用レール部２１０の他端部に対向するように配置され、リングチェーン６０の移動に伴って搬送されて戻り用レール部２１０（レール２０）の長手方向の他端から落下する灰を受け止めて集積できるようになっている。そして、該第二集積ボックスは、第一集積ボックスと同様、天板１０の前端側にある壁板１１に設けられた扉１１ｂを開くことで、外部に取り出せるようになっている。なお、図示しないが、第二集積部７０ｂにおいても、第一集積部７０ａと同様に、レール２０（戻り用レール部２１０）から落下する灰が確実に第二集積ボックス内に導かれるように、レール２０の下方から所定位置に配置された第二集積ボックスの上方に向けて傾斜した案内板（図示しない）が設けられている。
【００５４】
本実施形態に係る吸殻集積装置１は、換気装置８０をさらに備えている（図１参照）。かかる換気装置８０は、電動駆動される吸気ファン（採番しない）と、該吸気ファンの吸い込み側に設けられた脱臭・集塵フィルター（採番しない）とを備えている。本実施形態に係る換気装置８０は、第一巻掛部材３０の配置される領域Ａに対応するように壁板１１（図においては扉１１ａ）に設けられている。本実施形態に係る吸殻集積装置１は、仕切壁１５，１６によって第一巻掛部材３０の配置される領域Ａ、第二巻掛部材４０の配置される領域Ｂ、レール２０の配置される領域Ｃに仕切られているが、第一巻掛部材３０の配置される領域Ａと第二巻掛部材４０の配置される領域Ｂとが、レール２０（吸殻搬送用レール部２００及び戻り用レール部２１０）を介して連通しているため、換気装置８０を駆動することで、各領域Ａ，Ｂ，Ｃ内の空気を脱臭・集塵フィルターを介して外部放出できるようになっている。さらに、外部に通じる吸殻投入部１００…が吸殻搬送用レール部２００に対応して配設されているため、換気装置８０を作動させると、吸殻投入部１００…近傍にある煙草の煙についても、吸殻投入部１００…から吸殻搬送用レール部２００内に吸い込まれて脱臭・集塵フィルターを介して外部に排出されることになり、喫煙に伴って発生する副流煙が周辺に広がるのを防止することができるようになっている。
【００５５】
次に、上記構成の吸殻集積装置１の作動について説明すると、上記構成の吸殻集積装置１は、駆動源５００を駆動すると、駆動伝達手段５１０を介して第一巻掛部材３０が軸体５１２周りで回転する。そうすると、該第一巻掛部材３０の回転トルクがリングチェーン６０に伝達され、無端環状をなすリングチェーン６０が回転する。なお、本実施形態においては、吸殻搬送用レール部２００上にある一方の伸長部６０ａ（リングチェーン６０）が第一巻掛部材３０側に向けて移動する一方、戻り用レール部２１０上にある他方の伸長部６０ｂ（リングチェーン６０）が第二巻掛部材４０側に向けて移動するように、第一巻掛部材３０を駆動するようにしている。そして、換気装置８０は、少なくとも吸殻集積装置１が作動している間、常時駆動されており、内部の換気は勿論のこと、遊技者が何れかの遊技機Ｇに対応する吸殻投入部１００…に火の付いた煙草を位置させても、その副流煙を吸引するようになっている。なお、遊技島Ｇａ上の遊技機Ｇの作動状態に応じて換気装置８０を含めて吸殻集積装置１を作動させるようにしてもよい。
【００５６】
そして、第一巻掛部材３０の駆動に伴ってリングチェーン６０が回転すると、吸殻搬送用レール部２００上のリングチェーン６０に引っ張り力が作用する一方で、戻り用レール部２１０上のリングチェーン６０は第一巻掛部材３０の回転で第二巻掛部材４０側に押されて緩みが生じることになるが、本実施形態に係る吸殻集積装置１は、第二巻掛部材４０が付勢手段４１０に付勢されつつも上下方向に移動可能とされているため、そのリングチェーン６０の引っ張りと緩みとが第二巻掛部材４０の移動によって吸収され、リングチェーン６０が円滑に回転することになる。
【００５７】
そして、何れかの吸殻投入部１００…から吸殻が投入されると、吸殻搬送用レール部２００上のリングチェーン６０（伸長部６０ａの横リング６１ａ…又は縦リング６１ｂ…）に吸殻が引っ掛かって第一巻掛部材３０側（レール２０の一端側））に搬送されることになる。また、吸殻投入部１００…に投入された灰については、吸殻搬送用レール部２００の稜線Ｌ１近傍（頂部）に貯まろうとするが、その稜線Ｌ１上を縦リング６１ｂ…が移動するため、略粉体の灰が吸殻搬送用レール部２００上に堆積しようとしてもその縦リング６１ｂ…によって第一巻掛部材３０側に運ばれることになる。
【００５８】
そうすると、リングチェーン６０によって搬送される吸殻及び灰は、結果的に吸殻搬送用レール部２００の存在しない領域に到達する結果、該吸殻搬送用レール部２００から離脱して集積部７０ａ（第一集積ボックス７１ａ内）に集積されることになる。なお、第一集積ボックス７１ａは、耐火の観点から金属製のものが採用されるが、確実な消火を鑑みれば、その中に消火用の水を貯めておくことが好ましい。
【００５９】
そして、リングチェーン６０に付着した灰は、該リングチェーン６０が第一巻掛部材３０に巻き掛けられる際（横リング６１ａ…が逃溝３０３に介入して縦リング６１ｂ…が第一巻掛部３００の端面３０２ａ，３０２ｂ，３０２ｃに沿う際）、縦リング６１ｂ…と横リング６１ａ…との姿勢変更に伴って縦リング６１ｂ…と横リング６１ａ…との接触部分が擦り合わされる結果、その接触部分に付着した灰等が擦り落とされることになる。
【００６０】
また、搬送体６０に対するテンションの作用で縦リング６１ｂ…が第一巻掛部３００の端面３０２ａ，３０２ｂ，３０２ｃに沿う際（姿勢を変更する際）に、縦リング６１ｂ…と横リング６１ａ…との相対的な位置変化が大きいため、リングチェーン６０（伸長部６０ａ，６０ｂ）に対して一時的（瞬間的）な引っ張り作用と緩み作用とが生じ、縦リング６１ｂ…及び横リング６１ａ…に付着した灰が振るい落とされることになる。このように伸長部６０ａ，６０ｂに対して一時的に生じる引っ張り作用及び緩み作用は、リングチェーン６０が第一巻掛部材３０に巻き掛けられることで生じるため、リングチェーン６０が回転すれば一時的な引っ張り作用と緩み作用とが断続的に繰り返し生じることになり、リングチェーン６０の全長に亘って付着した灰が振るい落とされ、第一集積ボックス７１ａに受け止められることになる。
【００６１】
そして、リングチェーン６０に引っ張り作用と緩み作用とが生じても、一方の伸長部６０ａは吸殻搬送用レール部２００（レール２０）上にあるため、リングチェーン６０（伸長部）がレール２０と対向する部分では灰がレール２０よりも下方に落下することがなく、レール２０に受け止められることになる。そして、レール２０上に落下した灰はリングチェーン６０（主として縦リング６１ｂ…）によって第一集積部７０ａにまで搬送される。
【００６２】
そして、リングチェーン６０に付着した灰が振るい落としきれないまま、リングチェーン６０が戻り用レール部２１０上に進入しても、この部分のリングチェーン６０にも第一巻掛部材３０に対する巻き掛けによる引っ張り作用と緩み作用とが生じる結果、横リング６１ａ…及び縦リング６１ｂ…に付着した灰が戻り用レール部２１０上に振るい落とされ、吸殻搬送用レール部２００の場合と同様に、戻り用レール部２１０の稜線Ｌ２上で移動する縦リング６１ｂ…によって灰が第二巻掛部材４０側（レール２０の他端側）に搬送され、結果的に第二集積ボックス７１ｂに受け止められることになる。
【００６３】
仮に、戻り用レール部２１０上でも灰が振るい落とされなかったとしても、リングチェーン６０の引っ張りと緩みによる第二巻掛部材４０の上下方向の移動によってリングチェーン６０に振動が与えられる結果、リングチェーン６０に付着した灰等の付着物が下方に設置された第二集積ボックス７１ｂ内に落下して集積されることになる。
【００６４】
従って、本実施形態に係る吸殻集積装置１は、複数箇所に配設された吸殻投入部１００…から投入される吸殻を所定の集積部７０ａ，７０ｂに集積することができ、しかも、スクレーパー等の消耗部品を採用することなく、定期的な清掃を必要とせずに吸殻を搬送する搬送体６０に付着した灰を除去することができるといった優れた効果を奏し得る。
【００６５】
尚、本発明の吸殻集積装置は、上記実施形態に限定されるものではなく、本発明の要旨を逸脱しない範囲内において種々変更を加え得ることは勿論である。
【００６６】
上記実施形態において、吸殻搬送用レール部２００上にある一方の伸長部６０ａが第一巻掛部材３０に向けて移動するように駆動するようにしたが、これに限定されるものではなく、例えば、吸殻搬送用レール部２００上にある一方の伸長部６０ａが第二巻掛部材４０に向けて移動するように駆動してもよい。この場合、第二集積部７０ｂで吸殻投入部１００…から投入された吸殻や灰を集積し、第一集積部７０ａで戻し用レール部２１０からの灰を集積することになる。
【００６７】
上記実施形態において、第一巻掛部材３０を平面視略正三角形状になるように構成したが、これに限定されるものではなく、第一巻掛部材３０は、平面視略正多角形状になるように構成し、その多角形状をなす平面視における図心を通過する軸心周りで回転可能に構成すればよい。但し、リングチェーン６０に付着した灰を効率よく振るい落とすには、縦リング６１ｂ…に対する横リング６１ａ…の姿勢変更の度合いが大きい方が好ましいため、角部３０１ａ，３０１ｂ，３０１ｂの角度が小さくなるように角部３０１ａ，３０１ｂ，３０１ｂの数の少ない多角形状とすることが好ましい。
【００６８】
そして、上記実施形態において、第一巻掛部材３０の第一巻掛部３００に対し逃溝３０３を全周に形成するようにしたが、これに限定されるものではなく、縦リング６１ｂ…が角部３０１ａ，３０１ｂ，３０１ｂ間にある平面状の端面３０２ａ，３０２ｂ，３０２ｃに沿うように構成し、第一巻掛部３００の外周において、縦リング６１ｂ…と隣り合う横リング６１ａ…を介入させる逃溝３０３が少なくとも各角部３０１ａ，３０１ｂ，３０１ｂを含むように形成されればよい。従って、角部３０１ａ，３０１ｂ，３０１ｂ間の端面３０２ａ，３０２ｂ，３０２ｃに沿う縦リング６１ｂ…が一つになるように端面３０２ａ，３０２ｂ，３０２ｃのサイズを設定した場合には、外周における各角部３０１ａ，３０１ｂ，３０１ｂにのみ横リング６１ａ…を介入させる逃溝３０３を設けるようにすればよい。
【００６９】
上記実施形態において、第二巻掛部材４０を外観ローラ状に形成したが、これに限定されるものではなく、例えば、第二巻掛部材４０を第一巻掛部材３０と同様に、平面視略正多角形状をなす巻掛部を備えたものにするようにしてもよい。このようにすれば、レール２０の両側においてリングチェーン６０の伸長部６０ａ，６０ｂに対して引っ張りと緩みとを一時的に与えることができ、リングチェーン６０に付着した灰をより効率的に振るい落とすことができる。
【００７０】
上記実施形態において、吸殻搬送用レール部２００及び戻り用レール部２１０に対応するようにターンローラ４２０ａ，４２０ｂを配設してリングチェーン６０の移動方向を変更させ、レール２０の伸長方向に延びる軸心周りで回転可能な第二巻掛部材４０にリングチェーン６０を巻き掛けるようにしたが、これに限定されるものではなく、例えば、第二巻掛部材４０を第一巻掛部材３０の回転軸心と略平行な回転軸心周りで回転可能に構成し、上記実施形態のようにターンローラ４２０ａ，４２０ｂを設けることなくリングチェーン６０のレール２０から延出する部分を直接第二巻掛部材４０に巻き掛けるようにしてもよい。
【００７１】
そして、上記実施形態において、第二巻掛部材４０を移動可能に構成するとともに、その軸体４０３を付勢手段４１０によって付勢することでリングチェーン６０にテンションを作用させるようにしたが、これに限定されるものではなく、例えば、第二巻掛部材４０に代えて駆動される側の第一巻掛部材３０を移動可能に構成するとともに付勢手段によって付勢したり、第一巻掛部材３０及び第二巻掛部材４０の両方を相対的に移動可能に構成し、それぞれを付勢手段で付勢したりして、リングチェーン６０にテンションを作用させるようにしてもよい。すなわち、リングチェーン６０が巻き掛けられる一対の巻取部材３０，４０同士を相対移動可能に構成し、各巻掛部材３０，４０に離間方向の付勢力が作用するように付勢手段を設ければよい。
【００７２】
上記実施形態において、吸殻搬送用レール部２００及び戻り用レール部２１０のそれぞれを、レール２０の伸長方向に延びる稜線Ｌ１，Ｌ２を下方側に形成して上方に向けて拡開する一対の帯状部で構成して断面Ｖ字状に形成したが、これに限定されるものではなく、例えば、吸殻搬送用レール部２００及び戻り用レール部２１０を角張った樋（底面の両端から鉛直方向上方に壁部が延出するような樋）のように形成したり、断面半円弧状の樋のように形成したりしてもよい。
【００７３】
この場合、リングチェーン６０を構成する縦リング６１ｂ…及び横リング６１ａ…が各レール部２００，２１０の底面に対して接触しにくくなるので、リングチェーン６０におけるレール部２００，２１０の底面と対向する部位に、レール部２００，２１０の底面に対して摺接可能なスクレーパーを長手方向に間隔をおいて複数設けるようにしてもよい。このようにしても、平面視略正多角形状をなす巻掛部３００を有する巻掛部材３０と、搬送体６０にリングチェーン６０とを採用することで、上記実施形態と同様に搬送体６０に付着した灰を振るい落とすことができる。但し、このようにスクレーパー等を設けると部品点数が増える上に組立が煩雑になるので、上記実施形態のように各レール部２００，２１０を断面Ｖ字状にしてリングチェーン６０自体で吸殻や灰を搬送できるようにすることが好ましい。
【００７４】
上記実施形態において、第一巻掛部材３０の第一巻掛部３００にガイド部３０６ａ，３０６ｂを連設するようにしたが、これに限定されるものではなく、例えば、第一巻掛部材３０を第一巻掛部３００のみで構成してもよい。
【００７５】
上記実施形態において、吸殻搬送用レール部２００及び戻り用レール部２１０を直線状に形成したが、例えば、横並びに配設される複数の遊技機Ｇが平面視において円弧状やＬ字状等にレイアウトされる場合には、その態様に合わせて吸殻搬送用レール部２００及び戻り用レール部２１０を平面視において円弧状やＬ字状等に形成してもよい。すなわち、搬送体６０にリングチェーン６０を採用しているので、縦横両方向に曲げることができる。これにより、リングチェーン６０を吸殻搬送用レール部２００及び戻り用レール部２１０の態様に応じて配置することができる。但し、巻き掛部材を駆動するとリングチェーン６０の一方の伸長部６０ａが引っ張られる一方で、他方の伸長部６０ｂが緩む傾向にあるため、レイアウトをＬ字状のように屈曲した部位を有する場合、その部位でリングチェーン６０が浮き上がる傾向にあるため、例えば、その部位にリングチェーン６０の浮き上がりを防止するためのローラ等を配置することが好ましい。
【００７６】
上記実施形態において、第一巻掛部材３０に対して駆動源５００の駆動（回転トルク）を伝達すべく、第一巻掛部３００と軸体５１２との間にキーを介装するようにしたが、例えば、第一巻掛部３００の挿通穴３０４の内周面及び軸体５１２の外周面にスプラインを形成し、互いのスプラインを係合させようにしたり、第一巻掛部３００と軸体５１２とをカップリング等を介して接続するようにしたりして駆動源５００からの回転トルクを第一巻掛部材３０に伝達できるようにしてもよい。
【図面の簡単な説明】
【００７７】
【図１】本発明の一実施形態に係る吸殻集積装置の全体正面図であって、遊技島に一体化させた状態を示す。
【図２】同実施形態に係る吸殻集積装置を遊技島と一体化させた状態であって、（ａ）は、吸殻集積装置を正面から見た断面を示し、（ｂ）は、（ａ）のＩＶ−ＩＶ断面図を示す。
【図３】同実施形態に係る吸殻集積装置の断面図であって、図１のＩ−Ｉ断面図を示す。
【図４】同実施形態に係る吸殻集積装置の断面図であって、（ａ）は、図１のＩＩ−ＩＩ断面図を示し、（ｂ）は、（ａ）の部分拡大図を示し、（ｃ）は、（ｂ）の部分平面図を示す。
【図５】同実施形態に係る吸殻集積装置に採用される第一巻掛部材を示し、（ａ）は平面図を示し、（ｂ）は正面図を示し、（ｃ）は、（ｂ）のＶ−Ｖ断面図を示す。
【図６】同実施形態に係る吸殻集積装置に採用される第二巻掛部材の説明図であって、（ａ）は、部分断面を含んだ正面図を示し、（ｂ）は、側面図を示す。
【図７】同実施形態に係る吸殻集積装置の断面図であって、（ａ）は、図１のＩＩＩ−ＩＩＩ断面図を示し、（ｂ）は、（ａ）に示す支持プレートを取り外した状態を示す。
【図８】同実施形態に係る吸殻集積装置に採用される第一及び第二ターンローラの説明図であって、（ａ）は側面図を示す。
【符号の説明】
【００７８】
１…吸殻集積装置、１０…天板、１１，１２，１３，１４…壁板、１１ａ，１１ｂ…扉、１５，１６…仕切壁、２０…レール、３０…第一巻掛部材（巻掛部材）、４０…第二巻掛部材（巻掛部材）、５０…駆動手段、６０…搬送体（リングチェーン）、６０ａ，６０ｂ…伸長部、６０ｃ，６０ｄ…ターン部、６１ａ…横リング（リング）、６１ｂ…縦リング（リング）、７０ａ…第一集積部（集積部）、７０ｂ…第二集積部（集積部）、７１ａ…第一集積ボックス、７１ｂ…第二集積ボックス、７２…案内板、８０…換気装置、１００…吸殻投入部、１０１…口金部材、１０２…案内筒、１０３…鍔部、１０４…消火バー、２００…吸殻搬送用レール部、２０１…吸殻搬送用レール本体、２０２…第一固定部、２０３ａ，２０３ｂ…第一帯状部（帯状部）、２０４…第一起立部、２０５…第一固定片、２１０…戻り用レール部、２１１…戻り用レール本体、２１２ａ，２１２ｂ…第二帯状部（帯状部）、２１３…第二起立部、２１４…第三起立部、２１５…掛止片、２１５ａ，２２４ｂ…抜止用凸条、２１６…傾斜片部、２１７…凸条、２２０…固定部材、２２１…第二固定片、２２２…案内片、２２３…接続部、２２３ａ…垂設部、２２３ｂ…延出部、２２３ｃ…支持片、２２４…被掛止部、２２４ａ…被掛止片、２２４ｂ…抜止用凸条、２４０…接続部、３００…第一巻掛部（巻掛部）、３０１ａ，３０１ｂ，３０１ｂ…角部、３０２ａ，３０２ｂ，３０２ｃ…端面、３０３…逃溝、３０４…挿通穴、３０５…筒状軸、３０６ａ，３０６ｂ…ガイド部、３１０ａ，３１０ｂ…側板部、４００…第二巻掛部（巻掛部）、４０１，４０１…鍔部、４０２…溝、４０３…支持軸、４１０…付勢手段、４１１…ガイド手段（ガイド部材）、４１２，４１２…支持プレート、４１３…長穴、４１３…フランジ、４２０ａ…第一ターンローラ（ターンローラ）、４２０ｂ…第二ターンローラ（ターンローラ）、４２１ａ，４２１ｂ…溝、５００…駆動源、５０１…出力軸、５１０…駆動伝達手段、５１１…第一スプロケット（スプロケット）、５１３…第二スプロケット（スプロケット）、５１２…軸体、５１４…ローラチェーン、５５０…取付ブラケット、５５１…軸受手段、Ｇ…遊技機、Ｇａ…島（遊技島）、Ｌ１，Ｌ２…稜線
【図１】
2008125544.tif 000003
【図２】
2008125544.tif 000004
【図３】
2008125544.tif 000005
【図４】
2008125544.tif 000006
【図５】
2008125544.tif 000007
【図６】
2008125544.tif 000008
【図７】
2008125544.tif 000009
【図８】
2008125544.tif 000010